(57)【要約】【課題】印刷条件の設定における利便性を高める。【解決手段】印刷装置は、用紙種類の選択を受け付ける第一画面を表示する第一画面表示部と、第一の前記用紙種類が選択されると印刷に関する前記用紙種類以外の設定を受け付ける第二画面を表示する第二画面表示部と、選択された前記用紙種類の用紙に対する印刷を前記設定に基づいて制御する印刷制御部であって、前記第一の用紙種類とは異なる第二の前記用紙種類が前記第一画面において選択されると前記第二画面を表示せずに印刷を開始する印刷制御部と、を備える。【選択図】図２
2017132135.tif 000002
【特許請求の範囲】
【請求項１】
用紙種類の選択を受け付ける第一画面を表示する第一画面表示部と、
第一の前記用紙種類が選択されると印刷に関する前記用紙種類以外の設定を受け付ける第二画面を表示する第二画面表示部と、
選択された前記用紙種類の用紙に対する印刷を前記設定に基づいて制御する印刷制御部であって、前記第一の用紙種類とは異なる第二の前記用紙種類が前記第一画面において選択されると前記第二画面を表示せずに印刷を開始する印刷制御部と、
を備える印刷装置。
【請求項２】
前記用紙種類以外の設定は、前記第一の用紙種類と前記第二の用紙種類のいずれに対する印刷においても適用可能な設定である、
請求項１に記載の印刷装置。
【請求項３】
前記用紙種類以外の設定は、画像処理条件の設定である、
請求項１又は２に記載の印刷装置。
【請求項４】
用紙種類の選択を受け付ける第一画面を表示する第一画面表示部と、
第一の前記用紙種類が選択されると印刷に関する前記用紙種類以外の設定を受け付ける第二画面を表示する第二画面表示部と、
選択された前記用紙種類の用紙に対する印刷を前記設定に基づいて制御する印刷制御部であって、前記第一の用紙種類とは異なる第二の前記用紙種類が前記第一画面において選択されると前記第二画面を表示せずに印刷を開始する印刷制御部と、
としてコンピューターを機能させる印刷制御プログラム。
【発明の詳細な説明】
【技術分野】
【０００１】
本発明は印刷装置及び印刷制御プログラムに関する。
【背景技術】
【０００２】
従来、特許文献１のように普通紙、写真専用紙、はがきなど様々な種類の用紙に対して印刷することが可能な印刷装置が知られている。意図通りの印刷を行うためには、印刷条件を正しく設定する必要がある。
【先行技術文献】
【特許文献】
【０００３】
【特許文献１】特開２０１５−１３６８４４号公報
【発明の概要】
【発明が解決しようとする課題】
【０００４】
ところで写真専用紙やはがきは普通紙に比べて高価である。このため、写真専用紙やはがきに対する印刷を失敗した場合には、普通紙に対する印刷を失敗した場合に比べてユーザーの経済的損失が大きくなる。印刷条件を正しく設定させるためには、詳細な印刷条件まで含めて都度印刷条件をユーザーに確認させることが望ましい。しかし、詳細な印刷条件まで含めて都度印刷条件をユーザーに確認させるとすれば、印刷を開始するまでに必要な操作が増えてしまい、煩雑になるという問題がある。
【０００５】
本発明は、このような問題を解決するために創作されたものであって、印刷条件の設定における利便性を高める技術の提供を目的の一つとする。
【課題を解決するための手段】
【０００６】
（１）上記目的を達成するための印刷装置は、用紙種類の選択を受け付ける第一画面を表示する第一画面表示部と、第一の前記用紙種類が選択されると印刷に関する前記用紙種類以外の設定を受け付ける第二画面を表示する第二画面表示部と、選択された前記用紙種類の用紙に対する印刷を前記設定に基づいて制御する印刷制御部であって、前記第一の用紙種類とは異なる第二の前記用紙種類が前記第一画面において選択されると前記第二画面を表示せずに印刷を開始する印刷制御部と、を備える。
【０００７】
本発明によると、用紙種類に応じて印刷条件の設定を受け付けるための画面遷移を異ならせる。例えば、第一画面において高価な用紙種類が選択された場合には、用紙種類以外の設定を受け付ける第二画面を表示し、第一画面において高価でない用紙種類が選択された場合には、第二画面を表示せずに印刷を開始する。これにより、高価でない種類の用紙に対して印刷を行う場合には、少ない操作で印刷を開始できる。そして、高価な種類の用紙に対して印刷を行う場合には、様々な印刷条件を確認した後に印刷を開始できる。したがって本発明によると、印刷条件の設定における利便性を高めることができる。
【０００８】
（２）上記目的を達成するための印刷装置において、前記用紙種類以外の設定は、前記第一の用紙種類と前記第二の用紙種類のいずれに対する印刷においても適用可能な設定であってもよい。この構成を採用することにより、安価な用紙種類と高価な用紙種類の両方に適用可能な設定であっても、安価な用紙種類が選択された場合には、当該設定を受け付けるための第二画面を表示することなく、少ない操作で印刷を開始することが可能になる。
【０００９】
（３）上記目的を達成するための印刷装置において、前記用紙種類以外の設定は、画像処理条件の設定であってもよい。この構成を採用することにより、高価な用紙種類が選択された場合には、ユーザーの意図と異なる画像処理が行われて印刷される失敗を防止することができる。画像処理条件としては、余白や割付といったレイアウト処理の条件でもよいし、印刷解像度又は拡大倍率でもよいし、シャープネス補正や色補正といった非線形の処理条件でも良い。
【００１０】
尚、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は、印刷制御プログラム又はその記録媒体としても成立する。むろん、その記録媒体は、磁気記録媒体であってもよいし光磁気記録媒体であってもよいし、今後開発されるいかなる記録媒体であってもよい。
【図面の簡単な説明】
【００１１】
【図１】本発明の実施例にかかる印刷装置のブロック図である。
【図２】本発明の第一実施例にかかる印刷設定処理のフローチャートである。
【図３】本発明の第一実施例にかかる印刷設定処理の画面構成図である。
【発明を実施するための形態】
【００１２】
以下、本発明の実施の形態を図面を参照しながら説明する。尚、各図において対応する構成要素には同一の符号が付され、重複する説明は省略される。
【００１３】
１．印刷装置の構成
図１に、本発明の一実施例としての印刷装置を示す。図１に示すように、印刷装置は、コンピューターで構成された制御部１と、第一画面表示部及び第二画面表示部として機能するタッチパネルディスプレイ２と、用紙に印刷を施す印刷機構３と、用紙を印刷機構３に搬送する給紙機構５と、印刷対象のデータを取得するデータ取得部４とを備えている。タッチパネルディスプレイ２には、タップやフリックなどの操作の対象となる操作オブジェクトが表示される。そしてタッチパネルディスプレイ２は、操作オブジェクトに対する操作を検出する。印刷機構３には、インクを吐出する印字ヘッドや、印字ヘッドを搬送するモーターや、モーターの回転角度や印字ヘッドの位置を検出するエンコーダーなどが備えられている。給紙機構５には、用紙を積載するカセットやトレイ、用紙を搬送するモーター、用紙の位置を検出するセンサーなどが備えられている。制御部１は、プロセッサ、主記憶装置としてのＲＡＭ、外部記憶装置としてのフラッシュメモリ及び入出力インターフェースを備える。制御部１は、フラッシュメモリに記憶された印刷制御プログラムをＲＡＭにロードしてプロセッサで実行することにより、第一画面表示部、第二画面表示部、及び印刷制御部として機能する。データ取得部４は、リムーバブルメモリから印刷対象となるデータを制御部１に読み込む機構である。
【００１４】
２．印刷制御方法
制御部１は、図２に示す印刷設定処理を実行することにより、印刷対象となるファイルを選択して印刷条件を設定した後に、印刷対象ファイルと印刷条件とに基づいて印刷データを生成して印刷を実行する。以下、上述した印刷装置における印刷設定処理について図２及び図３を参照しながら詳細に説明する。
【００１５】
ここでの印刷設定処理は、データ取得部４にリムーバブルメモリが挿入されると起動する。リムーバブルメモリが挿入されたことを検出すると、制御部１は、図３Ａに示す印刷対象選択画面２１をタッチパネルディスプレイ２に表示し、印刷対象のデータを選択する操作を受け付ける（Ｓ１）。印刷対象選択画面２１には、戻るボタン２１２、次へボタン２１３及びファイルのサムネイル画像２１１が操作オブジェクトとして表示される。サムネイル画像２１１は、データ取得部４によってリムーバブルメモリから制御部１に読み込まれたサムネイルデータに基づいて表示される。それぞれのサムネイル画像２１１は、対応するデータを印刷対象とする操作を受け付ける。対応するデータが印刷対象として選択されたサムネイル画像２１１には、選択状態を示すマークが付される。戻るボタン２１２は直前の画面を表示するための操作を受け付ける。次へボタン２１３は次の画面を表示するための操作を受け付ける。
【００１６】
印刷対象選択画面２１において印刷対象のデータが選択され、次へボタン２１３がタップされると、制御部１は、図３Ｂに示す簡易設定画面２２をタッチパネルディスプレイ２に表示し、用紙サイズ、用紙種類、給紙経路の各項目について設定値の選択を受け付ける（Ｓ２）。第一画面としての簡易設定画面２２には、設定値の選択を受け付けるためのボックス２２１、２２３、２２４と、印刷設定フローを制御するためのボタン２２５、２２６、２２７が配置される。ボックス２２１は、用紙サイズの選択を受け付けるためのドロップダウンリストボックスである。ボックス２２１がタップされると、制御部１は、Ａ４、Ａ５、はがき、Ｌ版、２Ｌ版などの選択可能な用紙サイズの設定値リストを表示する。ボックス２２３は、用紙種類の選択を受け付けるためのドロップダウンリストボックスである。ボックス２２３がタップされると、制御部１は、普通紙、写真専用紙、アート紙、厚紙などの選択可能な用紙種類の設定値リストを表示する。ボックス２２４は、給紙経路の選択を受け付けるためのドロップダウンリストボックスである。ボックス２２４が選択されると、制御部１は、カセット１、カセット２、手差しトレイなどの選択可能な給紙経路の設定値リストを表示する。制御部１は、各ボックスについて表示されるリストにおいて設定値がタップされると、タップされた設定値を記憶する。
【００１７】
簡易設定画面２２が表示されているとき、制御部１は、戻るボタン２２５、次へボタン２２７及び詳細設定ボタン２２６のいずれがタップされたかを判定する（Ｓ３）。戻るボタン２２５がタップされると、制御部１は直前の印刷対象選択画面２１を表示する（Ｓ２）。
【００１８】
簡易設定画面２２の詳細設定ボタン２２６がタップされると、制御部１は、図３Ｄに示す詳細設定画面２４をタッチパネルディスプレイ２に表示し、画像処理条件について設定値の選択を受け付ける（Ｓ７）。詳細設定画面２４には、設定値の選択を受け付けるためのボックス２４２、２４３、２４４と、印刷設定フローを制御するためのボタン２４５、２４６と、印刷プレビュー２４１とが配置される。
【００１９】
ボックス２４２は、余白の選択を受け付けるためのドロップダウンリストボックスである。ボックス２４２がタップされると、制御部１は、フチ有り、フチ無しなどの選択可能な余白の設定値リストを表示する。ボックス２４３は、割付の選択を受け付けるためのドロップダウンリストボックスである。ボックス２４３がタップされると、制御部１は、しない、１×２、２×２、４×４などの選択可能な割付の設定値リストを表示する。ボックス２４４は、印刷解像度の選択を受け付けるためのドロップダウンリストボックスである。ボックス２４４がタップされると、制御部１は、３００ｄｐｉ、６００ｄｐｉなどの選択可能な印刷解像度の設定値リストを表示する。制御部１は、各ボックスについて表示されるリストにおいて設定値がタップされると、タップされた設定値を記憶する。印刷プレビュー２４１は、用紙サイズ、余白及び割付の設定値を反映する画像である。印刷プレビュー２４１は、制御部１が記憶している設定値と印刷対象データとに基づいて表示される。印刷プレビュー２４１が表示されることで印刷前に印刷結果を確認することができるため、印刷の失敗を防止することができる。ボックス２４２、２４３、２４４の表示されている領域をドラッグすることで、この領域をスクロールさせることができる。スクロールが行われると、設定値を受け付けるためのボックスを新たに表示する。ユーザーは、スクロールとスクロールで表示されたボックスを使って設定値を入力することで、多数の印刷設定を行う。戻るボタン２４５は直前の画面を表示する指示を受け付ける。
【００２０】
詳細設定画面２４の次へボタン２４６がタップされると、制御部１は印刷を開始する（Ｓ８）。印刷においては、印刷設定に基づいて印刷対象のデータが制御部１によって印刷データに変換され、給紙機構５によって供給される用紙に対して印刷機構３が印刷データに基づいて印刷を施す。制御部１は、印刷中に図３Ｃに示す印刷実行中画面２３をタッチパネルディスプレイ２に表示する。印刷実行中画面２３には、印刷中止の指示を受け付ける中止ボタン２３１と印刷実行中画面２３を閉じるためのとじるボタン２３２が配置される。
【００２１】
簡易設定画面２２の次へボタン２２７がタップされると、制御部１は、設定された用紙種類が第一の用紙種類か否かを判定する（Ｓ４）。第一の用紙種類と第二の用紙種類は任意に定めてよいが、ここでは普通紙を第二の用紙種類とし、普通紙以外を第一の用紙種類とする。設定された用紙種類が普通紙である場合、制御部１は印刷を開始する（Ｓ８）。
【００２２】
設定された用紙種類が普通紙でない場合、すなわち設定された用紙種類が第一の用紙種類である場合、制御部１は給紙機構５にセットされている用紙の種類が簡易設定画面２２において設定された用紙の種類と一致するか否かを判定する（Ｓ５）。給紙機構５にセットされている用紙の種類は、給紙機構５のセンサーによって検出しても良いし、用紙をセットするときにユーザーに設定させても良い。給紙機構５にセットされている用紙の種類が簡易設定画面２２において設定された用紙の種類と一致する場合、制御部１は詳細設定画面２４をタッチパネルディスプレイ２に表示し、画像処理条件について設定値の選択を受け付ける（Ｓ７）。
【００２３】
給紙機構５にセットされている用紙の種類が簡易設定画面２２において設定された用紙の種類と一致しない場合、制御部１は、図３Ｅに示す用紙セット案内画面２５をタッチパネルディスプレイ２に表示する（Ｓ６）。用紙セット案内画面２５は、簡易設定画面２２において設定された種類の用紙を給紙機構５にセットするように案内する画面である。簡易設定画面２２には、給紙機構５にセットすべき用紙の種類と、その用紙をセットすべき給紙経路とを含むメッセージと、印刷設定フローを制御するためのボタン２５１、２５２とが配置される。メッセージは、簡易設定画面２２において設定された値に基づいて表示される。戻るボタン２５１がタップされると、制御部１は直前の画面をタッチパネルディスプレイ２に表示する。次へボタン２５１がタップされると、制御部１はステップＳ５の判定処理を実行する。尚、ステップＳ５及びステップＳ６の処理は、詳細設定画面２４を表示する設定フローであるか否かに関わらず実行してもよい。例えばステップＳ７とステップＳ８の間においてステップＳ５及びステップＳ６の処理を実行しても良い。
【００２４】
上述したとおり、本実施例では、用紙種類に応じて印刷条件の設定を受け付けるための画面遷移が異なる。簡易設定画面２２において普通紙以外の種類の用紙が選択されている状態で次へボタン２２７がタップされた場合には、詳細設定画面２４が表示される。しかし、簡易設定画面２２において普通紙が設定されている状態で次へボタン２２７がタップされた場合には、詳細設定画面２４は表示されることなく印刷が開始される。ユーザーが安価な普通紙に対して印刷しようとしている場合には、詳細設定画面２４が表示されることがないため、少ない操作で印刷を実行することができる。またユーザーが普通紙以外の用紙に対して印刷しようとしている場合には、詳細設定画面２４が必ず表示されるため、余白、割付、解像度の設定値を確認した上でしか印刷を実行できない。したがって高価な写真専用紙などが設定ミスにより無駄に消費されることが防止される。そして、設定されている用紙種類に関わらず、ユーザーは、第二画面としての詳細設定画面２４を表示させて詳細な印刷条件を設定することが可能である。
【００２５】
３．他の実施形態
尚、本発明の技術的範囲は、上述した実施例に限定されるものではなく、本発明の要旨を逸脱しない範囲内において種々変更を加え得ることは勿論である。例えば第一画面及び第二画面に配置される操作オブジェクトに対する操作は、タップでなくても、マウスを用いるクリックでも良い。すなわち第一画面及び第二画面を表示するためのディスプレイとは別にマウスやキーなどの入力装置を用いて用紙種類やその他の印刷条件の設定操作を受け付けても良い。また、スマートフォン、ＰＣ等の外部機器のプロセッサに印刷制御プログラムを実行させることにより、外部機器を第一画面表示部、第二画面表示部及び印刷制御部として機能させても良い。
【００２６】
また、印刷対象は画像データに限らず、テキストデータでもよい。たとえば第一の用紙種類としての郵便はがきに宛名を印刷するための印刷条件設定処理に本発明を適用しても良い。また第一の用紙種類を複数定めても良い。そして用紙のサイズだけで第一の用紙種類を定めても良いし、用紙の紙質だけで第一の用紙種類を定めても良い。たとえばＡ３サイズの用紙を紙質に関わらずに第一の用紙種類として定めても良い。
【符号の説明】
【００２７】
１…制御部、２…タッチパネルディスプレイ、３…印刷機構、４…データ取得部、５…給紙機構、２１…印刷対象選択画面、２２…簡易設定画面、２３…印刷実行中画面、２４…詳細設定画面、２５…用紙セット案内画面、２１１…サムネイル画像、２１２…ボタン、２１３…ボタン、２２１…ボックス、２２３…ボックス、２２４…ボックス、２２５…ボタン、２２６…詳細設定ボタン、２２７…ボタン、２３１…中止ボタン、２３２…ボタン、２４１…印刷プレビュー、２４２…ボックス、２４３…ボックス、２４４…ボックス、２４５…ボタン、２４６…ボタン、２５１…ボタン
【図１】
2017132135.tif 000003
【図２】
2017132135.tif 000004
【図３】
2017132135.tif 000005